(57)【特許請求の範囲】
【請求項１】
底壁及び側壁により区画される収容室並びに当該側壁の上縁により区画される当該収容室の開口が形成された容器状のバッグ本体と、
上記開口を通じて上記収容室に出入自在なタックルケースとを備え、
当該タックルケースは、
上記開口に嵌め込まれた状態で上記側壁と対向する側面を有し、上面を開閉する蓋が設けられたケース本体と、
上記側面から外方へ張り出すフランジと、
当該フランジに設けられ、上記側面との間に上記側壁が挿入可能な隙間をあけて上記側面と対向する対向面を有する保持板とを備え、
上記蓋は、上記フランジ及び保持板よりも上方に設けられている釣用バッグ。
【請求項２】
上記フランジ及び保持板は平板により一体的に形成されており、
上記保持板は、上記フランジの先端に連続して下方へ延びている請求項１に記載の釣用バッグ。
【請求項３】
上記バッグ本体及び上記タックルケースは直方体状を呈し、
上記フランジ及び保持板は、上記タックルケースの隅部に設けられている請求項１又は２に記載の釣用バッグ。
【発明の詳細な説明】
【技術分野】
【０００１】
本発明は、魚釣りに使用されるバッグに関するものである。より詳細には、本発明は、釣道具（タックル）を効率良く収容するバッグの構造に関するものである。
【背景技術】
【０００２】
釣行の際に釣人は、ロッド、リールの他、様々なタックルを携帯する。例えば、船釣では、電動リールやロッドキーパー等の大型のタックルが用いられることが多い。そのため、釣人は、小型のタックル（典型的には、釣糸、針、プライヤ等の小物）に加えて大型のタックルも携帯する必要がある。釣人は、従来からロッドケース及び釣用バッグにこれらのタックルをコンパクトに収納し、釣場に持ち込んでいた。
【０００３】
釣用バッグには、小型から大型までの様々なタックルをコンパクトに収納するための工夫が施されている。例えば、特許文献１に開示された釣用バッグは、開口を有する容器状に形成されたバッグ本体と、バッグ本体に対して取出自在に収容されるタックルケースとを備えている。大型のタックルは、バッグ本体に収容される。小型のタックルは、タックルケースに収容される。
【０００４】
また、特許文献１に開示された釣用バッグにおいて、バッグ本体は、開口の周縁部にタックルケースを支持する座部を有する。すなわち、タックルケースは、バッグ本体の開口周縁部に配置される。これにより、釣人は、実釣中に、バッグ本体に収容された大型のタックルに阻害されることなく、タックルケースから小型のタックルを容易に取り出すことができる。
【先行技術文献】
【特許文献】
【０００５】
【特許文献１】特開２００６−１７４７２９公報
【発明の概要】
【発明が解決しようとする課題】
【０００６】
ところが、特許文献１に開示された上記座部は、バッグ本体の内部に張り出して形成される。このため、バッグ本体に収容可能なタックルの容量が、座部の容積分減ってしまう。また、座部が内側に張り出しているため、バッグ本体の内部空間が歪な形状となり、バッグ本体にタックルを効率良く収容することができない。
【０００７】
本発明の目的は、小型のタックルを取り出し易い構造を有し、しかも大型のタックルを効率よく収容できる釣用バッグを提供することである。
【課題を解決するための手段】
【０００８】
(1) 上記目的が達成されるため、本発明に係る釣用バッグは、
底壁及び側壁により区画される収容室並びに当該側壁の上縁により区画される当該収容室の開口が形成された容器状のバッグ本体と、上記開口を通じて上記収容室に出入自在なタックルケースとを備える。当該タックルケースは、上記開口に嵌め込まれた状態で上記側壁と対向する側面を有し、上面を開閉する蓋が設けられたケース本体と、上記側面から外方へ張り出すフランジと、当該フランジに設けられ、上記側面との間に上記側壁が挿入可能な隙間をあけて上記側面と対向する対向面を有する保持板とを備え、上記蓋は、上記フランジ及び保持板よりも上方に設けられている。
【０００９】
この構成によれば、大型のタックルをバッグ本体に収容し、小型のタックルをタックルケースに収容することが可能である。タックルケースは、バッグ本体の収容室に収容される。このとき、バッグ本体の側壁は、タックルケースのフランジを支持する。よって、バッグ本体は、その内部に、タックルケースを支持する突起などを備える必要はない。したがって、バッグ本体の内部空間が歪な形状となることはない。そのため、当該内部空間に大型のタックルを効率よく収容することができる。
【００１０】
また、タックルケースがバッグ本体の収容室に収容された状態で、バッグ本体の側壁は、タックルケースの側面及び保持板の対向面との間に挟まれた状態である。これにより、タックルケースのバッグ本体に対する移動ないしずれは、側面または対向面が側壁に当接することによって防止される。つまり、タックルケースのバッグ本体に対する位置ずれを防止することができる。
【００１１】
(2) 上記フランジ及び保持板は平板により一体的に形成されている。上記保持板は、上記フランジの先端に連続して下方へ延びている。
【００１２】
フランジ及び保持板が一体的に形成されていない場合、保持板がフランジから外れることによって、保持板がその機能を果たさない状態となるおそれがある。この構成によれば、フランジ及び保持板が一体的に形成されているため、前記状態となることが防止できる。
【００１３】
(3) 上記バッグ本体及び上記タックルケースは直方体状を呈している。上記フランジ及び保持板は、上記タックルケースの隅部に設けられている。
【００１４】
この構成では、フランジ及び保持板が占めるスペースを小さく抑えつつ、タックルケースのバッグ本体に対する位置ずれを防止することができる。
【発明の効果】
【００１５】
本発明によれば、バッグ本体は、その内部に、タックルケースを支持する突起などを備えていないため、バッグ本体の内部空間に大型のタックルを効率よく収容することができる。また、タックルケースに保持板が設けられていることによって、タックルケースのバッグ本体に対する位置ずれを防止することができる。
【図面の簡単な説明】
【００１６】
【図１】図１は、本発明の一実施形態に係る釣用バッグ１０の前方斜視図である。
【図２】図２は、本発明の一実施形態に係る釣用バッグ１０の後方斜視図である。
【図３】図３は、本発明の一実施形態に係る釣用バッグ１０の斜視図であり、扉１２が開かれた状態が図示されている。
【図４】図４は、本発明の一実施形態に係るバッグ本体１１の斜視図であり、タックルケース１３が取り外された状態が図示されている。
【図５】図５は、本発明の一実施形態に係るタックルケース１３の外観斜視図である。
【図６】図６は、本発明の一実施形態に係るタックルケース１３の内部構造を詳細に示す斜視図である。
【図７】図７は、本発明の一実施形態に係るタックルケース１３の平面図である。
【図８】図８は、図７のＶＩＩＩ−ＶＩＩＩ断面図である。
【発明を実施するための形態】
【００１７】
以下、適宜図面が参照されつつ、好ましい実施形態に基づいて本発明が詳細に説明される。
【００１８】
図１は、本発明の一実施形態に係る釣用バッグの前方斜視図である。図２は、本発明の一実施形態に係る釣用バッグの後方斜視図である。図１及び図２が示すように、釣用バッグ１０は、バッグ本体１１と、バッグ本体１１に設けられた扉１２とを備えている。
【００１９】
図３は、扉１２が開かれた状態の釣用バッグ１０の斜視図である。図３が示すように、バッグ本体１１には、タックルケース１３が収容されている。タックルケース１３は、後述されるようにバッグ本体１１に対して取出自在に収容されている。
【００２０】
図４は、タックルケース１３が取り外された状態におけるバッグ本体１１の斜視図である。図４が示すように、バッグ本体１１は、略直方体の容器状に形成されている。バッグ本体１１は、矩形の底壁５１と、底壁５１の各辺から上方へ延びた側壁５２とを備えている。バッグ本体１１の内部空間１５（収容室）は、底壁５１及び側壁５２により区画されている。内部空間は、開口１４によってバッグ本体１１の外部と連通している。開口１４は、側壁５２の上縁により区画されている。
【００２１】
バッグ本体１１の内部空間１５には、様々な釣り道具（タックル）が収容される。例えば、釣用バッグ１０が船釣りの際に使用されるとき、電動リール、電源装置のほかロッドキーパ等の大型のタックルが収容され得る。
【００２２】
バッグ本体１１を構成する樹脂には、典型的にはポリエチレン（ＰＥ）、ポリウレタン（ＰＵ）、エチレン酢酸ビニル共重合体（ＥＶＡ）、ポリ塩化ビニル（ＰＶＣ）、ポリプロピレン（ＰＰ）等が採用される。もっとも、バッグ本体１１を構成する樹脂には、他の種類が採用されてもよい。
【００２３】
図１及び図２が示すように、肩掛けベルト２０がバッグ本体１１に設けられている。肩掛けベルト２０は、エチレン酢酸ビニル共重合体（ＥＶＡ）、ポリ塩化ビニル（ＰＶＣ）、ポリプロピレン（ＰＰ）等からなる。肩掛けベルト２０は、バッグ本体１１を取り囲むようにバッグ本体１１の側壁５２に固定されている。
【００２４】
扉１２は、矩形の皿状に形成されている。扉１２は、例えば、アクリロニトリルブタジエンスチレン共重合体（ＡＢＳ）エチレン酢酸ビニル共重合体（ＥＶＡ）、ポリエチレン（ＰＥ）、ポリプロピレン（ＰＰ）等から構成されている。扉１２は、バッグ本体１１に対して回動自在に設けられている。
【００２５】
図２が示すように、扉１２は、リング２３及び連結ベルト２４を有する。連結ベルト２４は、リング２３を介してバッグ本体１１の側壁５２の後面と扉１２の後端面との間に架け渡されている。これにより、扉１２は、バッグ本体１１に対して開閉自在となっている。なお、図１が示すように、扉１２は、バックル２５を介してバッグ本体１１に連結され得る。
【００２６】
図５は、タックルケース１３の外観斜視図である。図６は、タックルケース１３の内部構造を詳細に示す斜視図である。図５及び図６が示すように、タックルケース１３は、ケース本体３３と、蓋３４とを備えている。
【００２７】
ケース本体３３の外形は、直方体状を呈している。ケース本体３３は、トレイ状に形成されている。ケース本体３３は、４つの側面５３を備えている。隣り合う２つの側面５３は、略直交している。
【００２８】
ケース本体３３を構成する材料には、例えば、アクリロニトリルブタジエンスチレン共重合体（ＡＢＳ）、ポリプロピレン（ＰＰ）、ポリエチレン（ＰＥ）、エチレン酢酸ビニル共重合体（ＥＶＡ）等が採用される。かかる材料が採用されることにより、ケース本体３３の高い剛性が確保される。
【００２９】
ケース本体３３の外形寸法は、バッグ本体１１の開口１４（図４参照）の寸法に対応している。したがって、ケース本体３３は、ぴったりとバッグ本体１１の開口１４に嵌め込まれる。ケース本体３３がバッグ本体１１の開口１４に嵌め込まれたときの状態については、後に詳細に説明される。
【００３０】
ケース本体３３は、フランジ５４と保持板５５とを備えている。フランジ５４及び保持板５５は平板により一体的に形成されている。フランジ５４は、側面５３から外方へ張り出している。保持板５５は、フランジ５４に設けられており、フランジ５４の先端から連続して下方へ延びている。図５及び図７が示すように、フランジ５４及び保持板５５は、隣り合う２つの側面５３の境界部に設けられている。つまり、フランジ５４及び保持板５５は、ケース本体３３の４つの隅部に設けられている。
【００３１】
図５及び図６が示すように、蓋３４は、ケース本体３３の上面を開閉するように取り付けられている。蓋３４は、フランジ５４及び保持板５５よりも上方に取り付けられている。蓋３４は、ケース本体３３の形状に対応して矩形状に形成されている。蓋３４は、その一の辺部がケース本体３３に対して回動自在に取り付けられている。そして、蓋３４の他の３つの辺部は、スライドファスナー３５を介してケース本体３３の開口周縁部に連結されている。図３及び図５が示すように、スライドファスナー３５は、２つの引手４４を有する。これにより、釣人にとって蓋３４の開閉が容易となっている。
【００３２】
図５及び図６が示すように、蓋３４は、透明の生地から構成されている。蓋３４を構成する生地は、典型的にはポリ塩化ビニル（ＰＶＣ）、ポリオレフィン等が採用される。蓋３４は、三枚の生地からなる。すなわち、図６が示すように、蓋３４は、透明の生地３６と、生地３６の内側に配置された生地３７と、さらに内側に配置された生地３８とを備えている。生地３７及び生地３８は、メッシュ構造を備えているのが好ましい。生地３６と生地３７とは略同一の形状であり、両者の周縁部同士が固着されている。生地３８は、矩形状を呈し、生地３７の下部に重ね合わせられている。生地３８の上縁を除く他の縁部は、生地３７の周縁部に固着されている。
【００３３】
生地３６を覆うように生地３７が配置されている。生地３７は、スライドファスナー３９を備えている。したがって、蓋３４は、生地３６と生地３７とによって形成されるポケット４１（小物収容ポケット）を備える。ポケット４１はスライドファスナー３９によって開閉自在である。さらに、生地３７に生地３８が重ね合わされているため、両者によって他のポケット４２（小物収容ポケット）が形成されている。なお、本実施形態では、生地３８の中間部分４０が生地３７に縫いつけられている。これにより、ポケット４２は２つの部分に区画されている。ただし、中間部分４０が生地３７に縫いつけられていなくてもよいことは勿論である。
【００３４】
図５及び図６が示すように、タックルケース１３は、把手４３を備えている。把手４３は、ケース本体３３の対向する側面５３に取り付けられている。各把手４３は、ポリ塩化ビニル（ＰＶＣ）、エチレン酢酸ビニル共重合体（ＥＶＡ）、ポリプロピレン（ＰＰ）等からなり、細長帯状に形成されている。釣人は、これら把手４３をケース本体３３の上方で束ねて持つことにより、タックルケース１３を持ち運ぶことができる。
【００３５】
図３が示すように、ケース本体３３は、バッグ本体１１の開口１４（図４参照）に嵌め込まれる。ケース本体３３が開口１４に嵌め込まれると、図８が示すように、バッグ本体１１の側壁５２の上端が、下方からケース本体３３のフランジ５４に当接する。これにより、バッグ本体１１がケース本体３３を支持した状態となる。
【００３６】
この状態において、側壁５２は、側面５３と対向面５６とに挟まれている。つまり、側壁５２は、側面５３及び対向面５６のそれぞれと対向している。ここで、対向面５６は、保持板５５の面のうち内方を向く面である。つまり、対向面５６は、側面５３との間に側壁５２が挿入可能な隙間を空けて側面５３と対向している。
【００３７】
上述したように、蓋３４は、フランジ５４及び保持板５５よりも上方に取り付けられている。これにより、図３が示すように、タックルケース１３がバッグ本体１１内に収容された状態で、蓋３４がバッグ本体１１の開口１４（図４参照）から外部に露出する。スライドファスナー３５は、開口１４を区画する側壁５２の上縁よりも上方に位置する。つまり、スライドファスナー３５がバッグ本体１１の開口１４よりも上方に位置する。
【００３８】
［実施形態の効果］
【００３９】
釣用バッグ１０において、電動リールやロッドキーパ等の大型で重量が大きいタックルはバッグ本体１１に収容され、釣針、釣糸等の小形軽量のタックルはタックルケース１３に収容される。これにより、タックルは、その種類に応じて分類して整理される。しかも、タックルケース１３の蓋３４がバッグ本体１１の開口１４から露出するから、釣人は、実釣中であってもタックルケース１３の蓋３４を自在に開閉することができ、小物類を容易に取り出すことができる。
【００４０】
タックルケース１３は、バッグ本体１１の内部空間１５に収容される（図３参照）。このとき、バッグ本体１１の側壁５２は、タックルケース１３のフランジ５４を支持する（図８参照）。よって、バッグ本体１１は、その内部に、タックルケース１３を支持する突起などを備える必要はない。したがって、バッグ本体１１の内部空間１５が歪な形状となることはない。そのため、内部空間１５に大型のタックルを効率よく収容することができる。
【００４１】
図８が示すように、タックルケース１３がバッグ本体１１の内部空間１５に収容された状態で、バッグ本体１１の側壁５２は、タックルケース１３の側面５３及び保持板５５の対向面５６との間に挟まれた状態である。これにより、タックルケース１３のバッグ本体１１に対する移動ないしずれは、側面５３または対向面５６が側壁５２に当接することによって防止される。つまり、タックルケース１３のバッグ本体１１に対する位置ずれを防止することができる。
【００４２】
フランジ５４及び保持板５５が一体的に形成されていない場合、保持板５５がフランジ５４から外れることによって、保持板５５がその機能を果たさない状態となるおそれがある。本実施形態によれば、フランジ５４及び保持板５５が一体的に形成されているため、前記状態となることが防止できる。
【００４３】
本実施形態では、フランジ５４及び保持板５５がケース本体３３の４つの隅部に設けられている（図７参照）。そのため、フランジ５４及び保持板５５が占めるスペースを小さく抑えつつ、タックルケース１３のバッグ本体１１に対する位置ずれを防止することができる。
【００４４】
本実施形態では、タックルケース１３の蓋３４は、スライドファスナー３５を介して開閉自在となっている（図５参照）。また、タックルケース１３は、スライドファスナー３５が露出するようにバッグ本体１１に支持されている（図３参照）。したがって、釣人は、スライドファスナー３５を簡単に操作することができ、これにより、簡単にタックルケース１３の蓋３４を開閉することができる。その結果、釣人は、実釣中に片手でタックルケース１３の蓋３４を開け、小物類を取り出すことができる。
【００４５】
蓋３４は透明であるから、釣人は、タックルケース１３に収容されている小物類を外部から確認することができる。したがって、釣人は、タックルケース１３を開ける前に取り出そうとするタックルが存在するか否かを確認することができる。加えて、蓋３４は小物収容ポケットを備えているため、釣人は、複数の小物類をさらに分類して整理収容することができる。
【００４６】
なお、図５が示すように、タックルケース１３の把手４３は、ケース本体３３の対向する側面に取り付けられている。したがって、釣人が把手４３を把持したときは、タックルケース１３は、側面が把手４３によって支持され、水平状態を保ったまま持ち上げられる。このことは、蓋３４が開かれていても閉じられていても同様である。すなわち、仮に把手４３が蓋３４に設けられている場合には、万一、蓋３４が開いている状態で釣人が把手４３を持つと蓋３４が一気に全開され内部の小物類が外部に飛び出してしまうというおそれがあるが、本実施形態では、蓋３４が開いていてもそのような問題は生じない。
【００４７】
［変形例］
【００４８】
上記実施形態では、フランジ５４及び保持板５５は、ケース本体３３の４つの隅部に設けられていた。しかし、フランジ５４及び保持板５５が設けられる位置は、４つの隅部に限らない。例えば、フランジ５４及び保持板５５は、ケース本体３３の同一の対角線上に位置する２つの隅部に設けられていてもよい。また、例えば、フランジ５４及び保持板５５は、側面５３における隅部ではない位置、換言すると隣り合う２つの側面５３の境界部以外の位置に設けられていてもよい。また、例えば、フランジ５４及び保持板５５は、ケース本体３３の側面５３の全周に設けられていてもよい。
【００４９】
上記実施形態では、保持板５５は、フランジ５４の先端から下方へ延びていた。しかし、保持板５５は、フランジ５４の先端よりも基端側の位置から下方へ延びていてもよい。また、保持板５５は、下方以外へ延びていてもよい。例えば、保持板５５は、下方に対して側面５３に向かうように傾斜する方向や、下方に対して側面５３から離間するように傾斜する方向へ延びていてもよい。
【００５０】
上記実施形態では、フランジ５４及び保持板５５は平板により一体的に形成されていたが、フランジ５４及び保持板５５は別部材であってもよい。この場合、フランジ５４及び保持板５５は、嵌合や接着などによって組み合わされる。
【００５１】
上記実施形態では、バッグ本体１１及びタックルケース１３は、直方体状であったが、直方体状に限らない。例えば、バッグ本体１１及びタックルケース１３は、円柱状であってもよい。
【符号の説明】
【００５２】
１０・・・釣用バッグ
１１・・・バッグ本体
１２・・・扉
１３・・・タックルケース
１４・・・開口
１５・・・内部空間
２０・・・肩掛けベルト
２３・・・リング
２４・・・連結ベルト
２５・・・バックル
３３・・・ケース本体
３４・・・蓋
３５・・・スライドファスナー
３６・・・生地
３７・・・生地
３８・・・生地
３９・・・スライドファスナー
４０・・・中間部分
４１・・・ポケット
４２・・・ポケット
４３・・・把手
４４・・・引手
５１・・・底壁
５２・・・側壁
５３・・・側面
５４・・・フランジ
５５・・・保持板
５６・・・対向面
【図１】
0006699939.tif 000002
【図２】
0006699939.tif 000003
【図３】
0006699939.tif 000004
【図４】
0006699939.tif 000005
【図５】
0006699939.tif 000006
【図６】
0006699939.tif 000007
【図７】
0006699939.tif 000008
【図８】
0006699939.tif 000009